【手続補正書】
【提出日】平成18年10月19日(2006.10.19)
【手続補正１】
【補正対象書類名】特許請求の範囲
【補正対象項目名】全文
【補正方法】変更
【補正の内容】
【特許請求の範囲】
【請求項１】
医療装置であって、以下：
患者への導入のため、あるいは患者の血液又は組織との接触のために適合された構造（ここで、該構造は表面を含む）；
該医療装置の表面上のコーティングが、コーティングされていない医療装置の表面に比べて、補体カスケードに対して実質的に活性化しないか又は脱活性化する、該医療装置の表面上に塗布されたコーティングの層
を含む、医療装置。
【請求項２】
医療装置が、バルーンカテーテル、Ａ／Ｖシャント、代用血管（ｖａｓｃｕｌａｒ  ｇｒａｆｔ）、ステント、ペースメーカーリード、ペースメーカー、心臓弁、カテーテル及びガイドワイヤーからなる群より選択される、請求項１に記載の医療装置。
【請求項３】
医療装置が、心肺バイパス装置、プラスマフェレーシス装置、血小板フェレーシス装置、白血球フェレーシス装置、ＬＤＬ除去装置、血液透析装置、血液濾過フィルター、限外濾過装置、血液潅流装置、血液酸素付加装置、血液ポンプ、血液センサー、及び後に患者に戻される血液を輸送するために使用されるチューブからなる群より選択される、請求項１に記載の医療装置。
【請求項４】
コーティングが、Ｈ因子、Ｈ因子様タンパク質１（ＦＨＬ−１）、Ｈ因子関連タンパク質（ＦＨＲ−３、ＦＨＲ−４）、及びその断片からなる群より選択される、請求項１に記載の医療装置。
【請求項５】
コーティングが、ブロックコポリマーを含有する請求項１に記載の医療装置。
【請求項６】
コーティングが、疎水性領域及び親水性領域を含むブロックコポリマーを含有する請求項１に記載の医療装置。
【請求項７】
コーティングが、ＰＬＵＲＯＮＩＣＳブロックコポリマーを含有する請求項１に記載の医療装置。
【請求項８】
コーティングが、それに付着した治療物（ｔｈｅｒａｐｅｕｔｉｃ  ｅｎｔｉｔｙ）を含む請求項１に記載の医療装置。
【請求項９】
コーティングが、式：
【数１】
2006510396.tif 000001
（式中、該コポリマーは、１以上の親水性ドメイン及び少なくとも１つの疎水性ドメインを含む）
を有する化合物を含む、請求項８に記載の医療装置。
【請求項１０】
治療物が、タンパク質、タンパク質断片、ペプチド、オリゴヌクレオチド、炭水化物、プロテオグリカン、抗体又は薬物である、請求項９に記載の医療装置。
【請求項１１】
治療物が、補体活性化のレギュレータ又はその活性ドメインである請求項９に記載の医療装置。
【請求項１２】
補体活性化のレギュレータが、Ｈ因子、Ｈ因子様タンパク質１（ＦＨＬ−１）、Ｈ因子関連タンパク質（ＦＨＲ−３、ＦＨＲ−４）、Ｃ４結合タンパク質（Ｃ４ｂｐ）、補体受容体１（ＣＲ１）、コンプスタチン（ｃｏｍｐｓｔａｔｉｎ）、崩壊促進因子（ＤＡＦ）、メンブランコファクタープロテイン（ＭＣＰ）、ワクシニアウイルス補体制御タンパク質（ＶＣＰ）及び補体酵素の天然痘阻害剤（ＳＰＩＣＥ）からなる群より選択される、請求項９に記載の医療装置。
【請求項１３】
コポリマーが、ポリエチレンオキサイド（ＰＥＯ）及びポリプロピレンオキサイド（ＰＰＯ）、ＰＥＯ及びポリブタジエン、ＰＥＯ及びポリ（Ｎ−アセチルエチレンイミン）、ＰＥＯ及びフェニルボロン酸、ＰＥＯ及びポリウレタン、ＰＥＯ及びポリメチルメタクリレート（ＰＭＭＡ）、ならびにＰＥＯ及びポリジメチルスルフォキサイドからなる群より選択されるポリマーユニットを含む、請求項９に記載の医療装置。
【請求項１４】
親水性ドメインがポリエチレンオキサイドを含む、請求項９に記載の医療装置。
【請求項１５】
疎水性ドメインが、ポリプロピレンオキサイド（ＰＰＯ）、ポリブタジエン、ポリ（Ｎ−アセチルエチレンイミン）、フェニルボロン酸、ポリウレタン、ポリメチルメタクリレート（ＰＭＭＡ）及びポリジメチルスルフォキサイドからなる群より選択されるポリマーユニットを含む、請求項９に記載の医療装置。
【請求項１６】
医療装置を表面コーティングでコーティングする方法であって、以下：
医療装置に表面を設けること；
コーティングを供給すること；
該医療装置の表面上にコーティングを塗布すること；（ここで、該医療装置の表面上のコーティングは、コーティングされていない医療装置の表面に比べて、補体カスケードに対して実質的に活性化しないか又は脱活性化する）
を含む方法。
【請求項１７】
医療装置が、バルーンカテーテル、Ａ／Ｖシャント、代用血管、ステント、ペースメーカーリード、ペースメーカー、心臓弁、カテーテル、及びガイドワイヤーからなる群より選択される請求項１６に記載の方法。
【請求項１８】
医療装置が、心肺バイパス装置、プラスマフェレーシス装置、血小板フェレーシス装置、白血球フェレーシス装置、ＬＤＬ除去装置、血液透析装置、血液濾過フィルター、限外濾過装置、血液潅流装置、血液酸素付加装置、血液ポンプ、血液センサー、及び後に患者に戻される血液を輸送するために使用されるチューブからなる群より選択される、請求項１６に記載の方法。
【請求項１９】
コーティングが、Ｈ因子、Ｈ因子様タンパク質１（ＦＨＬ−１）、Ｈ因子関連タンパク質（ＦＨＲ−３、ＦＨＲ−４）、及びその断片からなる群より選択される請求項１６に記載の方法。
【請求項２０】
コーティングが、ブロックコポリマーとともに、医療装置の表面に結合される、請求項１６に記載の方法。
【請求項２１】
コーティングが、疎水性領域及び親水性領域を含むブロックコポリマーとともに医療装置の表面に結合される、請求項１６に記載の方法。
【請求項２２】
コーティングが、ＰＬＵＲＯＮＩＣＳブロックコポリマーとともに医療装置の表面に結合される、請求項１６に記載の方法。
【請求項２３】
コーティングが、それに付着した治療物を含む、請求項１６に記載の方法。
【請求項２４】
コーティングが、式：
【数２】
2006510396.tif 000002
（式中、該コポリマーは、１以上の親水性ドメイン及び少なくとも１つの疎水性ドメインを含む）
を有する化合物を含む、請求項２３に記載の方法。
【請求項２５】
治療物が、タンパク質、タンパク質断片、ペプチド、オリゴヌクレオチド、炭水化物、プロテオグリカン、抗体又は薬物である、請求項２４に記載の方法。
【請求項２６】
治療物が、補体活性化のレギュレータ又はその活性ドメインである、請求項２４に記載の方法。
【請求項２７】
補体活性化のレギュレータが、Ｈ因子、Ｈ因子様タンパク質１（ＦＨＬ−１）、Ｈ因子関連タンパク質（ＦＨＲ−３、ＦＨＲ−４）、Ｃ４結合タンパク質（Ｃ４ｂｐ）、補体受容体１（ＣＲ１）、コンプスタチン（ｃｏｍｐｓｔａｔｉｎ）、崩壊促進因子（ＤＡＦ）、メンブランコファクタープロテイン（ＭＣＰ）、ワクシニアウイルス補体制御タンパク質（ＶＣＰ）及び補体酵素の天然痘阻害剤（ＳＰＩＣＥ）からなる群より選択される、請求項２６に記載の方法。
【請求項２８】
コポリマーが、ポリエチレンオキサイド（ＰＥＯ）及びポリプロピレンオキサイド（ＰＰＯ）、ＰＥＯ及びポリブタジエン、ＰＥＯ及びポリ（Ｎ−アセチルエチレンイミン）、ＰＥＯ及びフェニルボロン酸、ＰＥＯ及びポリウレタン、ＰＥＯ及びポリメチルメタクリレート（ＰＭＭＡ）、ならびにＰＥＯ及びポリジメチルスルフォキサイドからなる群より選択されるポリマーユニットを含む、請求項２４に記載の方法。
【請求項２９】
親水性ドメインがポリエチレンオキサイドを含む、請求項２４に記載の方法。
【請求項３０】
疎水性ドメインが、ポリプロピレンオキサイド（ＰＰＯ）、ポリブタジエン、ポリ（Ｎ−アセチルエチレンイミン）、フェニルボロン酸、ポリウレタン、ポリメチルメタクリレート（ＰＭＭＡ）、及びポリジメチルスルフォキサイドからなる群より選択されるポリマーユニットを含む、請求項２４に記載の方法。
【請求項３１】
式：
【数３】
2006510396.tif 000003
（式中、該コポリマーは、１以上の親水性ドメイン及び少なくとも１つの疎水性ドメインを含む）
を有する、医療装置のコーティング用化合物。
【請求項３２】
治療物が、タンパク質、タンパク質断片、ペプチド、オリゴヌクレオチド、炭水化物、プロテオグリカン、抗体又は薬物である、請求項３１に記載の化合物。
【請求項３３】
治療物が、凝血レギュレータ又はその活性ドメインである、請求項３１に記載の化合物。
【請求項３４】
治療物が抗体である請求項３３に記載の化合物。
【請求項３５】
治療物が補体活性化のレギュレータ又はその活性ドメインである、請求項３１に記載の化合物。
【請求項３６】
補体活性化のレギュレータが、Ｈ因子、Ｈ因子様タンパク質１（ＦＨＬ−１）、Ｈ因子関連タンパク質（ＦＨＲ−３、ＦＨＲ−４）、Ｃ４結合タンパク質（Ｃ４ｂｐ）、補体受容体１（ＣＲ１）、コンプスタチン（ｃｏｍｐｓｔａｔｉｎ）、崩壊促進因子（ＤＡＦ）、メンブランコファクタープロテイン（ＭＣＰ）、ワクシニアウイルス補体制御タンパク質（ＶＣＰ）及び補体酵素の天然痘阻害剤（ＳＰＩＣＥ）からなる群より選択される、請求項３５に記載の化合物。
【請求項３７】
コポリマーが、ポリエチレンオキサイド（ＰＥＯ）及びポリプロピレンオキサイド（ＰＰＯ）、ＰＥＯ及びポリブタジエン、ＰＥＯ及びポリ（Ｎ−アセチルエチレンイミン）、ＰＥＯ及びフェニルボロン酸、ＰＥＯ及びポリウレタン、ＰＥＯ及びポリメチルメタクリレート（ＰＭＭＡ）、ならびにＰＥＯ及びポリジメチルスルフォキサイドからなる群より選択されるポリマーユニットを含む、請求項３１に記載の化合物。
【請求項３８】
親水性ドメインがポリエチレンオキサイドを含む、請求項３１に記載の化合物。
【請求項３９】
疎水性ドメインが、ポリプロピレンオキサイド（ＰＰＯ）、ポリブタジエン、ポリ（Ｎ−アセチルエチレンイミン）、フェニルボロン酸、ポリウレタン、ポリメチルメタクリレート（ＰＭＭＡ）及びポリジメチルスルフォキサイドからなる群より選択されるポリマーユニットを含む、請求項３１に記載の化合物。